(57)【要約】【課題】カラオケを楽しむためには、多少なりとも専用のハードウェアの費用まで負担しなければならない。【解決手段】ＰＤＦ文書へ、動画データとカラオケ曲メタ情報を付与し、これらを制御する手段を組み込むことで、特別なハードウェアを必要としないカラオケ用の楽曲コンテンツを作成することが可能である。【効果】カラオケに必要なハードウェアを全て一般的なパソコンに代替させることができるので廉価にカラオケを楽しむことができる。【選択図】図３
2007328308.tif 000002
【特許請求の範囲】
【請求項１】
文書フォーマットがＰＤＦ（Ｐｏｒｔａｂｌｅ  Ｄｏｃｕｍｅｎｔ  Ｆｏｒｍａｔ）であって、動画情報および文字・静止画像情報の表示レイヤーを有し、これらを対話的に動画再生／動画停止、表示／非表示化する仕組みを有することを特徴とするカラオケ電子文書の作成方法。
【請求項２】
請求項１の方法を利用することによって作成されたカラオケ電子文書。
【請求項３】
請求項１の方法を利用することによって作成された電子文書。
【請求項４】
請求項１の方法を利用するに足る機能を持つところの文書フォーマットがＰＤＦでは無い文書フォーマットにおいて、請求項１の方法を利用することによって作成されたカラオケ電子文書。
【請求項５】
請求項１の方法を利用するに足る機能を持つところの文書フォーマットがＰＤＦでは無い文書フォーマットにおいて、請求項１の方法を利用することによって作成された電子文書。
【発明の詳細な説明】
【技術分野】
【０００１】本発明は、ＰＤＦ（Ｐｏｒｔａｂｌｅ  Ｄｏｃｕｍｅｎｔ  Ｆｏｒｍａｔ）形式の文書において、カラオケ曲ごとに、カラオケ曲メタ情報としての文字・静止画像の表示レイヤーを設け、かつカラオケ動画データを付与し、対話的に当該レイヤーを表示／非表示化、および動画を再生／停止する仕組みを組み込むことによるカラオケ電子文書の作成方法に関する。
【背景技術】
【０００２】家庭でカラオケを楽しむためにはソフトウェアとしての楽曲コンテンツ以外に、多少なりとも楽曲コンテンツに付帯する専用のハードウェアを購入しなければならない。【０００３】いわゆるカラオケボックスでカラオケを楽しむにしても、その利用料金には、カラオケボックスを提供する企業側のカラオケ機器の減価償却費が含まれており、価格が高く設定されてしまっている。
【発明の開示】
【発明が解決しようとする課題】
【０００４】現在、カラオケを楽しむためには、多少なりとも専用のハードウェアの費用まで負担しなければならない。【０００５】本発明は、上述の問題点に鑑みて成されたものであり、その目的は、カラオケに必要なハードウェアを全て一般的なパソコンに代替させるための楽曲コンテンツを作成する方法を提供することにある。
【課題を解決するための手段】
【０００６】本発明は、ＰＤＦ（Ｐｏｒｔａｂｌｅ  Ｄｏｃｕｍｅｎｔ  Ｆｏｒｍａｔ）文書において目的の機能をソフトウェアとして実現するものである。カラオケ曲のメタ情報、および動画データはＰＤＦへの組み込み素材として用意する必要がある。また、市販されているＰＤＦ文書を作成するためのソフトウェアを利用するものとする。更に、ＰＤＦ文書を作成するためのコンピュータハードウェアのリソースとして、規定量以上のメモリ容量、ソフトウェア開発作業として必要な量のハードディスク容量、規定の解像度以上を有するモニタ、およびスピーカーが必要である。これら必要となるハードウェアスペックは、作成するカラオケ曲のコンテンツおよび、市販のＰＤＦ文書を作成するためソフトウェアの動作要求スペックに依拠する。
【発明の効果】
【０００７】本発明によれば、利用者は、パソコンのモニターに表示されたカラオケ曲の再生ボタン押下するだけで、即座にその目的を遂げることが可能となる。【０００８】また利用者はカラオケ電子文書から、好みで楽曲を表示上消すことが可能である。この利用方法で、当該カラオケ電子文書は極めてパーソナルユース、ファミリーユースなものとなり、利用のための利便性が向上する。【０００９】本方法で作成された楽曲コンテンツはＰＤＦ電子文書であるので、運搬メディアを選ばない。内蔵／外付ハードディスク、ＣＤ、ＤＶＤ、ＭＯ、ＮＡＳ、ＺＩＰ、ＦＤ、ＣＦ等様々なメディアに格納が可能となる。また、インターネットでの流通やメールへの添付も可能である。【００１０】また利用者は、ＰＤＦ文書を開示・閲覧するためのソフトウェア（ビュアーソフト）が具備する、文書内の語の検索機能や、フォルダ内全ＰＤＦ文書中からの語の検索機能を利用して、語を検索することが出来るので、曲の選択が容易である。【００１１】ＰＤＦ文書は、ＰＤＦ形式のリーダーソフトウェアがインストールされていれば、どのパソコンでも開示・閲覧することが可能であるので、本発明に拠って作成された楽曲コンテンツもまた、ＰＤＦ文書のリーダーソフトウェアがインストールされているパソコンであればプラットフォームに依拠せずに開示・閲覧・利用が可能である。従って当カラオケ電子文書は、利用者にとって可搬性の高い楽曲コンテンツと言える。
【発明を実施するための最良の形態】
【００１２】以下、本発明の実施の形態を図面に基づき詳細に説明する。図１〜図３は本発明にあたるカラオケ電子文書の作成の方法・手順である。説明に先立ち、カラオケ曲それぞれ１曲を便宜上、曲ユニットと称することとする。本発明によるカラオケ電子文書の作成の最小単位もまた曲ユニットである。【００１３】先ず、図１においてＰＤＦ形式の文書中の（１）ＰＤＦ文書ページ内領域に、曲ユニットの構成要素となる（２）カラオケ曲メタ情報レイヤーを設ける。このレイヤー上に（３）カラオケ曲メタ情報の構成要素としてのテキストおよび静止画を配置する。カラオケ曲メタ情報とは、曲名、歌手、歌詞（歌い出し）、曲の分類グループ、作詞者、作曲者、曲をイメージした静止画等のカラオケ曲の属性情報である。【００１４】ここで、レイヤーの作成に関して、留意すべき注意事項がある。現状（平成１８年６月９日の時点）においては、市販の如何なるＰＤＦ文書作成ソフトウェアもそのソフトウェア機能のみではレイヤーを作成し得ない。ＰＤＦ形式の文書にレイヤーを作成するには、ＰＤＦ形式の文書に変換する前のドキュメント作成アプリケーションソフトウェアにてレイヤーを持つドキュメントを作成し、当該ドキュメントを、レイヤー情報を保持させてＰＤＦ文書に変換することで可能である。現状、このレイヤー作成の要件を満たすドキュメント作成ソフトウェアは、Ａｄｏｂｅ  ＩｎＤｅｓｉｇｎ（登録商標）、Ａｕｔｏｄｅｓｋ  ＡｕｔｏＣＡＤ（登録商標）、Ｍｉｃｒｏｓｏｆｔ  Ｖｉｓｉｏ（登録商標）の各アプリケーションソフトウェアである。ここでは、本実施の形態を説明する上で、直感的に理解をしてもらう意図で一貫して「ＰＤＦ文書にレイヤーを設ける」という表現を使用するが、実際にレイヤーを設ける方法は、上記３つのドキュメント作成アプリケーションソフトの何れかを使用して、当該アプリケーションソフトのネイティブフォーマットにてレイヤー保有ドキュメントを作成した上で、当該ドキュメントをレイヤー保有させた状態にてＰＤＦ文書化することになる。【００１５】また、現状、市販の如何なるＰＤＦ文書作成ソフトウェアも、そのソフトウェア機能のみではレイヤー上にオブジェクト（テキスト、画像等）を配置し得ない。本説明で使用する「レイヤー上に配置する」という表現は、本実施の形態を説明する上で、直感的に理解をしてもらう意図で使用する。実際にレイヤー上にオブジェクトを配置する方法は、上記３つのドキュメント作成アプリケーションソフトの何れかを使用して、レイヤー上にオブジェクトを配置し、アプリケーションのネイティブフォーマットのドキュメントを作成した上で、当該ドキュメントをレイヤー保有させた状態にてＰＤＦ文書化することになる。尚、非レイヤー域に関してはこの限りでは無い。【００１６】図２は、楽曲の再生／停止および楽曲情報の表示／非表示をインタラクティブ（会話的）に行なうためのインターフェースとなるＰＤＦフォームの配置である。ＰＤＦフォームは曲ユニット毎に、チェックボックスおよびボタンの２種類を（２）カラオケ曲メタ情報レイヤーに属さない（４）ＰＤＦ文書ベース領域上に配置する。【００１７】図２の（５）カラオケ曲チェックボックスの機能は、（２）カラオケ曲メタ情報レイヤー上に配置された（３）カラオケ曲メタ情報の表示／非表示、および以下に説明する（６）再生ボタンおよび（７）停止ボタンの表示／非表示を制御する。すなわち、チェックＯＮで（３）カラオケ曲メタ情報と（６）再生ボタンおよび（７）停止ボタンを表示し、チェックＯＦＦで（３）カラオケ曲メタ情報と（６）再生ボタンおよび（７）停止ボタンを非表示とする設定をおこなう。尚、レイヤーに属さないボタンの表示／非表示の制御はスクリプトにて行う。【００１８】図２の（６）再生ボタンおよび（７）停止ボタンは上述のとおり、（４）ＰＤＦ文書ベース領域上に配置する。図では、（２）カラオケ曲メタ情報レイヤーの矩形領域内に存在しているが、当該レイヤーには属さない。（６）再生ボタンは該当する曲ユニットのカラオケ動画を再生させるためのボタンで、（７）停止ボタンはカラオケ動画の再生を停止するためのボタンである。【００１９】図３において、（４）ＰＤＦ文書ベース領域上に、レーヤーに属さないＰＤＦムービーオブジェクトであるところの（８）動画再生領域を設ける。当該領域にカラオケ動画がサウンド付きで再生されることになる。この領域は文書のページ毎に１つを設け、領域の境界を非表示状態とし、再生する動画には文書のページに掲載される複数の曲ユニットのムービーを割り当てる。図３の例では、このページに掲載されるところの曲名が「兄弟ボート」、「親子散歩」、「ステキな夢」、「明日のゆめ」、「真心の思い」の５曲分のムービーが割り当てられることになる。尚、この動画再生の矩形領域上に、上述の通りカラオケ動画が再生されるので、その矩形領域は、動画の制御を行なうための（６）再生ボタンおよび（７）停止ボタンに重ならない配置とする点に注意する。【００２０】図４は、図３における最上部の曲ユニットであるところの曲名「兄弟ボート」の（５）カラオケ曲チェックボックスをチェックＯＦＦに設定した例である。（３）カラオケ曲メタ情報、（６）再生ボタンおよび（７）停止ボタンが非表示となっている。この状態では、当該曲ユニットの（６）再生ボタンおよび（７）停止ボタンは機能しない。【００２１】尚、本カラオケ電子文書の利用に際し、マイクを使用しての拡声機能は、ラジカセ等に機能付帯するマイクからの音声の拡声機能を利用する。
【産業上の利用可能性】
【００２２】上述の発明は、特別なカラオケ装置を必要せず、パソコンがあればどこでもカラオケを楽しむことが可能である。
【図面の簡単な説明】
【００２３】
【図１】ＰＤＦ形式の文書に、曲ユニット毎にカラオケ曲メタ情報のレイヤーを設け、当該レイヤー上にカラオケ曲メタ情報を配置したイメージ図である。
【図２】非レイヤー域に、カラオケ曲チェックボックスと再生／停止ボタンを配置したイメージ図である。
【図３】文書の１つのページの全体イメージであり、動画再生領域を配置した図である。
【図４】カラオケ曲チェックボックスをＯＦＦに設定したイメージ図である。
【符号の説明】
【００２４】１    ＰＤＦ文書ページ内領域
２    カラオケ曲メタ情報レイヤー
３    カラオケ曲メタ情報
４    ＰＤＦ文晝ベース領域
５    カラオケ曲チェックボックス
６    再生ボタン
７    停止ボタン
８    動画再生領域
【図１】
2007328308.tif 000003
【図２】
2007328308.tif 000004
【図３】
2007328308.tif 000005
【図４】
2007328308.tif 000006